(57)【特許請求の範囲】
【請求項１】
ケース、前記ケースに取り付けられたオルゴールムーブメント及び回転軸回りに回転し、前記オルゴールムーブメントを駆動する手回しハンドルを有する手回しオルゴールと、
前記手回しハンドルに設けられ、該手回しハンドルを駆動する動力を伝達する動力伝達部品及び前記手回しオルゴールとは異なる場所に配置され、前記動力を発生する動力発生部を有し、前記手回しオルゴールを駆動する駆動装置と、を備えた電動オルゴールシステムであって、
前記手回しハンドルが、前記回転軸回りに回転する第１のシャフト部と、
前記第１のシャフト部が延びる方向に延びる第２のシャフト部と、
前記第２のシャフト部の先端側に設けられたグリップ部と、を有し、
前記動力伝達部品が前記グリップ部よりも前記手回しハンドルの根元側に取り付けられ、前記回転軸回りに回転する電動オルゴールシステム。
【請求項２】
請求項１記載の電動オルゴールシステムにおいて、
前記駆動装置が、中心部を前記第１のシャフト部が通る取り付け部品を更に有し、
前記取り付け部品が前記動力伝達部品に形成された取り付け穴に挿入されている電動オルゴールシステム。
【請求項３】
請求項１記載の電動オルゴールシステムにおいて、
前記駆動装置が、前記第１のシャフト部を挟み込む第１及び第２の取り付け部品を更に有し、
前記第１のシャフト部を挟み込んだ前記第１及び第２の取り付け部品が、前記動力伝達部品に形成された取り付け穴に挿入されている電動オルゴールシステム。
【発明の詳細な説明】
【技術分野】
【０００１】
本発明は、電動オルゴールシステムに関する。
【背景技術】
【０００２】
特許文献１には、ユーザー自身が好みに応じて手回し式オルゴールを着脱交換でき、それを電動モータで駆動させるようにした電動オルゴールが記載されている。この電動オルゴールは、電動モータとその電動モータの回転を減速させるための輪列を含むオルゴールを搭載する基台に、手回し式オルゴールを着脱交換可能に固定し電動モータで手回し式オルゴールを駆動するようにしたものである。
【先行技術文献】
【特許文献】
【０００３】
【特許文献１】実開平７−２６８９２号公報
【発明の概要】
【発明が解決しようとする課題】
【０００４】
本発明は、手回しオルゴール装置を電動化できる手回しオルゴールの駆動装置を備えた電動オルゴールシステムを提供することを目的とする。
【課題を解決するための手段】
【０００５】
本発明に係る電動オルゴールシステムは、ケース、前記ケースに取り付けられたオルゴールムーブメント及び回転軸回りに回転し、前記オルゴールムーブメントを駆動する手回しハンドルを有する手回しオルゴールと、前記手回しハンドルに設けられ、該手回しハンドルを駆動する動力を伝達する動力伝達部品及び前記手回しオルゴールとは異なる場所に配置され、前記動力を発生する動力発生部を有し、前記手回しオルゴールを駆動する駆動装置と、を備えた電動オルゴールシステムであって、前記手回しハンドルが、前記回転軸回りに回転する第１のシャフト部と、前記第１のシャフト部が延びる方向に延びる第２のシャフト部と、前記第２のシャフト部の先端側に設けられたグリップ部と、を有し、前記動力伝達部品が前記グリップ部よりも前記手回しハンドルの根元側に取り付けられ、前記回転軸回りに回転する。
【０００６】
【０００７】
本発明に係る電動オルゴールシステムにおいて、前記駆動装置が、中心部を前記第１のシャフト部が通る取り付け部品を更に有し、前記取り付け部品が前記動力伝達部品に形成された取り付け穴に挿入されていることが好ましい。
【０００８】
本発明に係る電動オルゴールシステムにおいて、前記駆動装置が、前記第１のシャフト部を挟み込む第１及び第２の取り付け部品を更に有し、前記第１のシャフト部を挟み込んだ前記第１及び第２の取り付け部品が、前記動力伝達部品に形成された取り付け穴に挿入されていてもよい。
【０００９】
【００１０】
【００１１】
【発明の効果】
【００１２】
本発明によれば、手回しオルゴール装置を電動化できる手回しオルゴールの駆動装置を備えた電動オルゴールシステムを提供できる。
【図面の簡単な説明】
【００１３】
【図１】本発明の一実施の形態に係る手回しオルゴールの駆動装置の外観図である。
【図２】同手回しオルゴールの駆動装置が備えるプーリの斜視図である。
【図３】同手回しオルゴールの駆動装置が備えるプーリの正面図である。
【図４】（Ａ）、（Ｂ）及び（Ｃ）はそれぞれ、同手回しオルゴールの駆動装置が備えるプーリの正面図、Ａ−Ａ断面図及び背面図である。
【図５】同手回しオルゴールの駆動装置が備えるプーリ及び取り付け部品の分解組立図である。
【図６】同手回しオルゴールの駆動装置を取り付ける第２の工程を示す説明図である。
【図７】同手回しオルゴールの駆動装置を取り付ける第３の工程を示す説明図である。
【発明を実施するための形態】
【００１４】
続いて、添付した図面を参照しつつ、本発明を具体化した実施の形態につき説明し、本発明の理解に供する。なお、図において、説明に関連しない部分は図示を省略する場合がある。
【００１５】
本発明の一実施の形態に係る手回しオルゴール２０の駆動装置１０は、図１に示すように、手回しオルゴール２０を駆動し、既存の手回しオルゴール２０を電動化できる。
すなわち、駆動装置１０及び既存の手回しオルゴール２０により、電動オルゴールシステム３０が構成される。
【００１６】
手回しオルゴール２０は、ケース２０２と、ケース２０２に固定されたオルゴールムーブメント２０４と、回転軸ＡＸ１（図２及び図３参照）回りに回転し、オルゴールムーブメント２０４を駆動する手回しハンドル２０６と、を備えている。
【００１７】
オルゴールムーブメント２０４は、手回しハンドル２０６によって駆動され、紙テープ（不図示）を読み込むことができる。オルゴールムーブメント２０４は、読み込んだ紙テープに記録された楽曲を演奏できる。
【００１８】
手回しハンドル２０６は、図２に示すように、ケース２０２の外側に延びている。手回しハンドル２０６は、図５に示すように、中心軸（回転軸ＡＸ１）回りに回転する第１のシャフト部２１０ａと、正面視して第１のシャフト部２１０ａの先端部から第１のシャフト部２１０ａの径方向に延びるアーム部２１４と、アーム部２１４の先端部から第１のシャフト部２１０ａが延びる方向に延びる第２のシャフト部２１０ｂと、第２のシャフト部２１０ｂの先端側に設けられ、第２のシャフト部２１０ｂ回り（図５に示す矢印方向）に回転できるグリップ部２１２と、を有している。
【００１９】
駆動装置１０は、図１に示すように、プーリ（動力伝達部品の一例）１０２、モータユニット（動力発生部の一例）１２０、及びベルト１３０を備えている。
プーリ１０２は、手回しハンドル２０６を駆動する動力を伝達できる。プーリ１０２は、図２に示すように、グリップ部２１２よりも手回しハンドル２０６の根元側（ケース２０２の側）の位置に取り付けられ、回転軸ＡＸ１回りに回転する。
【００２０】
プーリ１０２は、図４（Ａ）及び図４（Ｂ）に示すように、正面から見て円形状の部材であり、外周面にベルト１３０が掛けられる溝部１１２が形成されている。
また、プーリ１０２の中央部には円形状の孔１１４ａ及び孔１１４ａから径方向に延びる長孔１１４ｂが形成されている。孔１１４ａの大きさは、手回しハンドル２０６のグリップ部２１２の外形よりも大きく設定されている。長孔１１４ｂの幅は、アーム部２１４の径よりも大きく設定されている。
更に、図４（Ｂ）及び図４（Ｃ）に示すように、プーリ１０２の背面側には、取り付け穴１１８が形成されている。この取り付け穴１１８には、図５に示す第１の取り付け部品１０４ａ及び第２の取り付け部品１０４ｂが挿入される。
【００２１】
これら第１の取り付け部品１０４ａ及び第２の取り付け部品１０４ｂは、それぞれ、半円柱状の部材である。第１の取り付け部品１０４ａ及び第２の取り付け部品１０４ｂには、それぞれ、外周面の一部を構成する平面１０６ａ、１０６ｂに、第１のシャフト２１０ａが収まる溝１０５ａ、１０５ｂ（図６参照）が形成されている。
従って、第１の取り付け部品１０４ａ及び第２の取り付け部品１０４ｂは、これら平面１０６ａ、１０６ｂを対向させて組み合わせることによって円柱状の取り付け部品１０４（図７参照）を構成でき、構成された円柱状の取り付け部品１０４の中心部には、組み合わされた溝１０５ａ、１０５ｂによって第１のシャフト２１０ａが通る孔が形成される。
プーリ１０２は、この取り付け部品１０４を介して、手回しハンドル２０６に取り付けられる。
【００２２】
モータユニット１２０は、図１に示すように、手回しオルゴール２０とは異なる場所に配置され、手回しハンドル２０６を駆動する動力を発生できる。
モータユニット１２０は、モータ１２１、プーリ１２２、及び速度制御器１２３を有している。
モータ１２１は、例えばＤＣモータであり、電源はバッテリー（不図示）により供給される。
プーリ１２２は、モータ１２１の出力軸に取り付けられている。
速度制御器１２３は、モータ１２１の出力軸の回転数を所望の大きさに制御できる。
モータ１２１及び速度制御器１２３は、同一のケースに収められる。
【００２３】
ベルト１３０は、プーリ１０２及びプーリ１２２に掛けられる。
【００２４】
次に、駆動装置１０の取り付け方法について説明する。駆動装置１０は、以下の工程に従って既存の手回しオルゴール２０に取り付けられる。ただし、可能な場合には、各工程は順番を入れ替えて実施されてもよいし、並行して実施されてもよい。
【００２５】
（第１の工程）
手回しオルゴール２０及び駆動装置１０を準備する。
【００２６】
（第２の工程）
第１の取り付け部品１０４ａ及び第２の取り付け部品１０４ｂを手回しハンドル２０６の第１のシャフト部２１０ａに組み合わせる（図６参照）。
詳細には、第１の取り付け部品１０４ａの平面１０６ａ及び第２の取り付け部品１０４ｂの平面１０６ｂを対向させ、第１のシャフト部２１０ａを、第１の取り付け部品１０４ａに形成された溝１０５ａ及び第２の取り付け部品１０４ｂに形成された溝１０５ｂに収めて挟み込む。
【００２７】
（第３の工程）
図７に示すように、取り付け穴１１８（図４（Ｂ）及び図４（Ｃ）参照）を背面側として、プーリ１０２に形成された孔１１４ａに手回しハンドル２０６のグリップ部２１２を通す。孔１１４ａの大きさはグリップ部２１２の外径よりも大きいので、グリップ部２１２の先端側からプーリ１０２を挿入できる。
【００２８】
（第４の工程）
第１の取り付け部品１０４ａ及び第２の取り付け部品１０４ｂを第１のシャフト部２１０ａに組み合わせた状態で、プーリ１０２の取り付け穴１１８に第１の取り付け部品１０４ａ及び第２の取り付け部品１０４ｂにより構成された円柱状の組み付け部品１０４を挿入する。なお、アーム部２１４の先端側（第２のシャフト部２１０ｂの側）は、長孔１１４ｂに収められる。
その結果、プーリ１０２は、第１のシャフト部２１０ａの径方向の動きが制限される。
【００２９】
（第５の工程）
ねじ１１６を用いて、固定板１１５をプーリ１０２に取り付ける（図５参照）。手回しハンドル２０６のアーム部２１４が固定板１１５及び取り付け部品１０４によって挟み込まれる。
その結果、プーリ１０２は、第１のシャフト部２１０ａの軸方向（回転軸ＡＸ１が延びる方向）の動きも制限され、手回しハンドル２０６に固定される。
【００３０】
（第６の工程）
プーリ１０２及びプーリ１２２にベルト１３０を掛け、ベルト１３０の張力が適切な大きさとなる位置にモータユニット１２０を配置する（図１参照）。
【００３１】
このように第１〜第６の工程に従って取り付けられた手回しオルゴール２０の駆動装置１０によれば、モータ１２１の動力がベルト１３０及びプーリ１０２を介して伝達され、手回しハンドル２０６が駆動されるので、既存の手回しオルゴール２０が電動化される。
また、プーリ１２２が、グリップ部２１２よりも根元側に取り付けられるので、手動で手回しハンドル２０６を回して演奏することも可能である。すなわち、手回しオルゴール２０の本来の手動による演奏も、駆動装置１０による演奏も楽しむこともできる。
【００３２】
以上、本発明の実施の形態を説明したが、本発明は、上記した形態に限定されるものでなく、要旨を逸脱しない条件の変更等は全て本発明の適用範囲である。
手回しオルゴールは、手回しハンドルを手動で駆動するオルゴールであれば、任意のオルゴールでよい。
動力伝達部品は、プーリ１０２に限定されるものではなく、グリップ部２１２よりも手回しハンドル２０６の根元側に取り付けられ、回転軸ＡＸ１回りに回転する動力伝達部品であれば任意でよい。
【符号の説明】
【００３３】
１０  駆動装置
２０  手回しオルゴール
３０  電動オルゴールシステム
１０２  プーリ
１０４  取り付け部品
１０４ａ  第１の取り付け部品
１０４ｂ  第２の取り付け部品
１０５ａ、１０５ｂ  溝
１０６ａ、１０６ｂ  平面
１１２  溝部
１１４ａ  孔
１１４ｂ  長孔
１１５  固定板
１１６  ねじ
１１８  取り付け穴
１２０  モータユニット
１２１  モータ
１２２  プーリ
１２３  速度制御器
１３０  ベルト
２０２  ケース
２０４  オルゴールムーブメント
２０６  手回しハンドル
２１０ａ  第１のシャフト部
２１０ｂ  第２のシャフト部
２１２  グリップ部
２１４  アーム部
ＡＸ１  回転軸
【図１】
0006593951.tif 000002
【図２】
0006593951.tif 000003
【図３】
0006593951.tif 000004
【図４】
0006593951.tif 000005
【図５】
0006593951.tif 000006
【図６】
0006593951.tif 000007
【図７】
0006593951.tif 000008